(57)【要約】【課題】複数の取扱組織間における書籍流通情報を一元的に管理できるようにして、流通過程の書籍情報を収集できるようにした非接触ＩＣタグを利用した書籍情報管理システムを提供する。【解決手段】取扱組織毎に、書籍の非接触ＩＣタグの書籍ＩＤ情報を読み取るＩＣタグリーダと、読み取った書籍ＩＤ情報と、取扱組織を特定する取扱組織ＩＤ情報とを管理用サーバに送信する端末とを有し、管理用サーバには、書籍ＩＤ情報と、書籍情報とが関係付けて登録されている書籍情報データベースと、取扱組織ＩＤ情報と、取扱組織情報とが関係付けて登録されている取扱組織情報データベースと、端末から受信した書籍ＩＤ情報及び取扱組織ＩＤ情報に基づき、書籍情報データベースから書籍情報を抽出し、取扱組織情報データベースから取扱組織情報を抽出する抽出手段と、抽出した書籍情報と取扱組織情報とを関係付けて記憶する記憶手段とを備えた。【選択図】　　　　図４
2004118600.tif 000002
【特許請求の範囲】
【請求項１】
書籍ＩＤ情報が記憶された非接触ＩＣタグを備えた書籍を用いて、前記書籍を取り扱う出版会社や取次会社及び書店等の複数の取扱組織間における書籍流通情報を、管理用サーバにより一元的に管理する非接触ＩＣタグを利用した書籍情報管理システムであって、
前記取扱組織毎に、取り扱う書籍の非接触ＩＣタグに記憶された書籍ＩＤ情報を読み取るＩＣタグリーダと、前記ＩＣタグリーダで読み取った書籍ＩＤ情報と、前記取扱組織を特定する取扱組織ＩＤ情報とをインターネットを介して前記管理用サーバに送信する端末とを有し、
前記管理用サーバには、予め前記書籍ＩＤ情報と、書籍名等の書籍情報とが関係付けられて登録されている書籍情報データベースと、前記取扱組織ＩＤ情報と、取扱組織名等の取扱組織情報とが関係付けられて登録されている取扱組織情報データベースと、前記端末からインターネットを介して受信した書籍ＩＤ情報及び取扱組織ＩＤ情報に基づいて、前記書籍情報データベースから書籍情報を抽出すると共に、前記取扱組織情報データベースから取扱組織情報を抽出する抽出手段と、前記抽出手段で抽出した書籍情報と取扱組織情報とを関係付けて記憶する記憶手段とを備えたことを特徴とする書籍情報管理システム。
【請求項２】
前記ＩＣタグリーダは、前記取扱組織毎に書籍を出庫する際に前記書籍ＩＤ情報を読み取る出庫用ＩＣタグリーダであり、前記管理用サーバは、前記出庫用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする請求項１記載の書籍情報管理システム。
【請求項３】
前記ＩＣタグリーダは、前記取扱組織毎に書籍を販売する際に前記書籍ＩＤ情報を読み取る販売用ＩＣタグリーダであり、前記管理用サーバは、前記販売用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする請求項１記載の書籍情報管理システム。
【請求項４】
前記ＩＣタグリーダは、前記取扱組織毎に書籍を入庫する際に前記書籍ＩＤ情報を読み取る入庫用ＩＣタグリーダと、書籍を出庫する際に前記書籍ＩＤ情報を読み取る出庫用ＩＣタグリーダの２種類が備えられ、前記管理用サーバは、前記入庫用ＩＣタグリーダまたは前記出庫用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする請求項１記載の書籍情報管理システム。
【請求項５】
前記ＩＣタグリーダは、前記取扱組織毎に書籍を仕入れる際に前記書籍ＩＤ情報を読み取る仕入用ＩＣタグリーダと、書籍を販売する際に前記書籍ＩＤ情報を読み取る販売用ＩＣタグリーダの２種類が備えられ、前記管理用サーバは、前記仕入用ＩＣタグリーダまたは前記販売用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする請求項１記載の書籍情報管理システム。
【発明の詳細な説明】
【０００１】
【発明の属する技術分野】
本発明は、書籍ＩＤ情報が記憶された非接触ＩＣタグを備えた書籍を用いて、前記書籍を取り扱う出版会社や取次会社及び書店等の複数の取扱組織間における書籍流通情報を、管理用サーバにより一元的に管理する非接触ＩＣタグを利用した書籍情報管理システムに関する。
【０００２】
【従来の技術】
従来、書籍の流通は、出版会社から取次会社へ、取次会社から小売を行う書店へと流通される。
また、書店での書籍販売においては、書店で売れ残った書籍は一定の期間を経て返品できる委託販売制をとっている場合が多い。
通常、取次会社から書店に配本される配本数は、過去における書店の売上実績をもとに決められるので、例えば、売上が見込める人気のある書籍は、売上実績のある大手の書店に大量の納品がされるのに対して、小さな書店や地方の書店などには、希望する配本部数よりも少ない数量の書籍しか納品されない場合がある。
【０００３】
このために、配本部数の少なかった小さな書店や地方の書店などでは、早めにそれらの人気のある書籍が売れ切れてしまい在庫が無い状態であるのに、一方、大量に配本された大手の書店には、いつまでも大量の在庫があって売れ残り、取次会社に返品されてしまうということも予想され、特に流行性を有する書籍の場合には、早く購入して読みたいと思う顧客に対して効率良く販売できないで、絶好の販売タイミングを逃してしまう場合があるという問題がある。
【０００４】
また、書籍の配送、返品および在庫管理の効率化を図るためのシステムとして、非接触ＩＣタグを利用したシステムが既に知られている。（例えば、特許文献１参照）
この公知のシステムは、書籍に非接触ＩＣタグを貼付することで、取次会社における納本、配本、返品本などのデータを効率的に収集し管理することができ、また書店における書籍の入庫、在庫、販売、返品などの情報管理を効率的に行えるようにしたものである。
【０００５】
しかしながら、公知のシステムでは、出版会社から出版された書籍の流通状況において、それらの書籍が現時点で、どこに、どれだけ在庫として残っているのかを、全体的に把握できないので、もしも在庫がなくなった書店が、早急に人気のある売れ筋の書籍を購入したくても、これらの売れ筋の書籍がどこに売れ残って在庫されているのかなど、簡単に在庫先を探し出すことができないという問題がある。
【０００６】
【特許文献１】
特開２００１−２４０２１７号公報
【０００７】
【発明が解決しようとする課題】
本発明は、書籍毎に付されたＩＤ情報を効率的に読み取って収集できるようにすると共に、これらの書籍を取り扱う出版会社や取次会社及び書店等の複数の取扱組織間における書籍流通情報を、管理用サーバにより一元的に管理できるようにして、個々の書籍が市場において、どのような流通過程にあるのか、またどこに在庫として売れ残っているのかなどの書籍情報を収集することができるようにした非接触ＩＣタグを利用した書籍情報管理システムを提供する。
【０００８】
【課題を解決するための手段】
本発明の非接触ＩＣタグを利用した書籍情報管理システムは、書籍ＩＤ情報が記憶された非接触ＩＣタグを備えた書籍を用いて、前記書籍を取り扱う出版会社や取次会社及び書店等の複数の取扱組織間における書籍流通情報を、管理用サーバにより一元的に管理する非接触ＩＣタグを利用した書籍情報管理システムであって、前記取扱組織毎に、取り扱う書籍の非接触ＩＣタグに記憶された書籍ＩＤ情報を読み取るＩＣタグリーダと、前記ＩＣタグリーダで読み取った書籍ＩＤ情報と、前記取扱組織を特定する取扱組織ＩＤ情報とをインターネットを介して前記管理用サーバに送信する端末とを有し、前記管理用サーバには、予め前記書籍ＩＤ情報と、書籍名等の書籍情報とが関係付けられて登録されている書籍情報データベースと、前記取扱組織ＩＤ情報と、取扱組織名等の取扱組織情報とが関係付けられて登録されている取扱組織情報データベースと、前記端末からインターネットを介して受信した書籍ＩＤ情報及び取扱組織ＩＤ情報に基づいて、前記書籍情報データベースから書籍情報を抽出すると共に、前記取扱組織情報データベースから取扱組織情報を抽出する抽出手段と、前記抽出手段で抽出した書籍情報と取扱組織情報とを関係付けて記憶する記憶手段とを備えたことを特徴とする。
【０００９】
また、本発明の非接触ＩＣタグを利用した書籍情報管理システムは、前記ＩＣタグリーダは、前記取扱組織毎に書籍を出庫する際に前記書籍ＩＤ情報を読み取る出庫用ＩＣタグリーダであり、前記管理用サーバは、前記出庫用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする。
【００１０】
更に、本発明の非接触ＩＣタグを利用した書籍情報管理システムは、前記ＩＣタグリーダは、前記取扱組織毎に書籍を販売する際に前記書籍ＩＤ情報を読み取る販売用ＩＣタグリーダであり、前記管理用サーバは、前記販売用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする。
【００１１】
また、本発明の非接触ＩＣタグを利用した書籍情報管理システムは、前記ＩＣタグリーダは、前記取扱組織毎に書籍を入庫する際に前記書籍ＩＤ情報を読み取る入庫用ＩＣタグリーダと、書籍を出庫する際に前記書籍ＩＤ情報を読み取る出庫用ＩＣタグリーダの２種類が備えられ、前記管理用サーバは、前記入庫用ＩＣタグリーダまたは前記出庫用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする。
【００１２】
更に、本発明の非接触ＩＣタグを利用した書籍情報管理システムは、前記ＩＣタグリーダは、前記取扱組織毎に書籍を仕入れる際に前記書籍ＩＤ情報を読み取る仕入用ＩＣタグリーダと、書籍を販売する際に前記書籍ＩＤ情報を読み取る販売用ＩＣタグリーダの２種類が備えられ、前記管理用サーバは、前記仕入用ＩＣタグリーダまたは前記販売用ＩＣタグリーダから情報を受信した時刻／又は日付けを計測する計時手段と、前記記憶手段に前記書籍情報と前記取扱組織情報とを関係付けて記憶させる際に、前記計時手段で計測した時刻／又は日付けを付して記憶させる制御手段とを備えたことを特徴とする。
【００１３】
以下、本発明の実施の形態を図面に基づいて詳細に説明する。
図１は、書籍の奥付け部分に非接触ＩＣタグを貼付した例を示す図、図２は、非接触ＩＣタグの例を示す平面図、図３は、非接触ＩＣタグを書籍の裏表紙に内蔵させた例を示す断面図、図４は、本発明の実施形態に係る非接触ＩＣタグを利用した書籍情報管理システムの概要を説明する図、図５は、本発明の実施形態に係る非接触ＩＣタグを利用した書籍情報管理システムのシステムブロック図、図６は、本発明の実施形態に係る非接触ＩＣタグを利用した書籍情報管理システムの処理手順を説明するフローチャートである。
【００１４】
まず、非接触ＩＣタグ付き書籍１について説明する。
この非接触ＩＣタグ付き書籍１は、既に前記特許文献１に記載されているが、書籍の所望の部分に非接触ＩＣタグ３を設けたものであり、非接触リーダライタでの読み取りや書込みなどが可能であれば、非接触ＩＣタグ３を書籍に設ける部分や仕様は特に限定されるものではない。
ここで、書籍とは、書籍、雑誌、ビデオ、ＤＶＤ、ＣＤなどの著作物を含む。
非接触ＩＣタグ３を書籍に貼付する場合は、書籍が電磁遮蔽効果のある金属製の表紙等をもつ場合の他、いずれの箇所に貼付しても構わない。
【００１５】
図１は、書籍１の奥付け部分１ａに非接触ＩＣタグ３を貼付した例である。
非接触ＩＣタグ３は、書籍の表紙や裏表紙などの書籍の外面部分に貼付しても良いが、他の書籍との接触や取り扱い時の物理的外力により剥離することもあるので、表紙の内面側や裏表紙の内面側などの直接外面に表れない部分に設けることが好ましい。
実際には、非接触ＩＣタグ３を書籍の表紙面や表紙裏面、裏表紙面や裏表紙裏面、奥付け部、その他の書籍内の任意な紙面、あるいは表紙カバーやブックケース等に貼付させたり、内蔵させたりする。
【００１６】
非接触ＩＣタグ３は、通常は金属層を積層した紙やプラスチック基材にアンテナ用のコイルパターン３３を金属層にエッチング形成しＩＣチップ３２を接続することにより形成できる。
ＩＣチップ３２のメモリー容量が１キロビットであれば、１２８文字の記録ができるので、図書館における閲覧記録のように過大の記録を必要とする場合の他、通常の配送、返品、在庫管理では１から数キロビットのメモリー容量であれば十分と考えられる。
非接触ＩＣタグ３に記録する事項としては、例えば、書籍の識別コードである書籍ＩＤ情報、ＩＣタグ自体の識別コード、書名、発行所名、発行日、著者名、版数、売価などがある。
書籍の識別コードである書籍ＩＤ情報やＩＣタグ自体の識別コードは、タグまたは書籍毎に重複したコードを付することを避けため、コード付与の統一した管理基準を設ける必要がある。
【００１７】
図２は、非接触ＩＣタグ３の例を示す図である。
非接触ＩＣタグ３は非接触データキャリアやＦＲ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は導通部材３４により基材３１の裏面でジャンピング回路を形成してコイル接続端子３３ＣによりＩＣチップ３２の裏面のバンプに接続している。
【００１８】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１９】
非接触ＩＣタグ３に使用する樹脂基材３１としては、ＰＥＴやポリプロピレン、ポリエチレン、ポリスチレン、ナイロン等の各種材料を使用することができ紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００２０】
これらの記録した情報の読み取りは、非接触ＩＣタグ３対して共振する呼び出し信号を発信し、数ｃｍから数十ｃｍの距離でタグからの応答信号を読み、且つタグに記録することができる。
装置としては固定した常設のリーダライタ付きターミナルやのほか、無線式のハンディー端末等を使用することができる。
【００２１】
また、図３には、非接触ＩＣタグ３を２枚の紙片３５ａ，３５ｂの間に挟み込んだ状態の断面図を示しているが、このように書籍の表紙や裏表紙等の書籍の一部を構成する紙片に非接触ＩＣタグ３を内蔵させると、外観上も通常の書籍と違和感がないので好ましい。
【００２２】
次に、本発明の実施形態に係る非接触ＩＣタグを利用した書籍情報管理システムの概要を、図４に基づいて説明する。
図４に示すように、書籍を取り扱う複数の取扱組織である出版会社４や取次会社５及び書店６に設置されている各端末７，８，９は、インターネット１０を介して管理センター１１に設置されている管理用サーバ１２と通信可能に接続されている。
また、図４においては、一例として、書籍が出版会社４、取次会社５、書店６の順番で流通される場合を想定してある。
【００２３】
また、出版会社４や取次会社５及び書店６に設置されている各端末７，８，９には、無線式ハンディータイプのＩＣタグリーダ１３，１４ａ，１４ｂ，１５ａ，１５ｂとの間で非接触で信号の送受信を行うアンテナ装置１６，１７，１８が接続され設けられている。
尚、これら無線式ハンディータイプのＩＣタグリーダ１３，１４ａ，１４ｂ，１５ａ，１５ｂの代わりに、固定した常設のリーダライタ付きターミナルなどを使用してもよく、その場合には、アンテナ装置１６，１７，１８を設けないで、リーダライタ付きターミナルを直接、各端末７，８，９に接続する。
また、ＩＣタグリーダは、それぞれの取扱組織の規模や事情に応じて、用意する数量や、設ける場所を任意に決めればよい。
【００２４】
出版会社４に設けられているＩＣタグリーダ１３は、出版会社４の倉庫などに一時的に保管された書籍を、取次会社５などに対して出庫する際に書籍に設けられている非接触ＩＣタグから書籍ＩＤ情報を読み取るための出庫用のＩＣタグリーダ１３である。
この出庫用のＩＣタグリーダ１３で非接触ＩＣタグから書籍ＩＤ情報を読み取ることで、どの書籍が何時に出庫されたのかを履歴情報として収集できるようにしてある。
【００２５】
また、取次会社５に設けられている２つのＩＣタグリーダ１４ａ，１４ｂの内、まず、ＩＣタグリーダ１４ａは、出版会社４から取次会社５が書籍を入庫する際に、書籍に設けられている非接触ＩＣタグから書籍ＩＤ情報を読み取るための入庫用のＩＣタグリーダ１４ａであり、また、もう一方のＩＣタグリーダ１４ｂは、取次会社５から書店６に出庫する際に、非接触ＩＣタグから書籍ＩＤ情報を読み取るための出庫用のＩＣタグリーダである。
この２つのＩＣタグリーダ１４ａ，１４ｂからの読み取り情報により、どの書籍が何時に入庫し、更に何時に出庫したのかを履歴情報として収集でき、また在庫している書籍も調べられるようにしてある。
【００２６】
次に、書店６に設けられている２つのＩＣタグリーダ１５ａ，１５ｂの内、まず、ＩＣタグリーダ１５ａは、取次会社５から書店に書籍を仕入れた際に、書籍に設けられている非接触ＩＣタグから書籍ＩＤ情報を読み取るための仕入用のＩＣタグリーダ１５ａであり、また、もう一方のＩＣタグリーダ１５ｂは、書店６が客に販売した際に、非接触ＩＣタグから書籍ＩＤ情報を読み取るための販売用のＩＣタグリーダである。
この２つのＩＣタグリーダ１５ａ，１５ｂからの読み取り情報により、どの書籍が何時に仕入れて、更に何時に販売されたのかを履歴情報として収集でき、また在庫している書籍も調べられるようにしてある。
【００２７】
次に、図５に基づいて、本発明の実施形態に係る非接触ＩＣタグを利用した書籍情報管理システムのシステム構成について説明する。
書店６の端末９には、表示手段２３、入力手段２４、記憶手段２５、送受信手段２６、制御手段２７を有し、アンテナ装置１８で受信した非接触ＩＣタグからの書籍ＩＤ情報を、送受信手段２６により管理センター１１の管理用サーバ１２へ送信可能とし、また管理用サーバ１２から書籍情報の収集を可能にしてある。
【００２８】
また、取次会社５の端末８には、表示手段２８、入力手段２９、記憶手段３０、送受信手段３６、制御手段３７を有し、アンテナ装置１７で受信した非接触ＩＣタグからの書籍ＩＤ情報を、送受信手段３６により管理センター１１の管理用サーバ１２へ送信可能とし、また管理用サーバ１２から書籍情報の収集を可能にしてある。
【００２９】
また、出版会社４に設置された端末１４には、表示手段３８、入力手段３９、記憶手段４０、送受信手段４１、制御手段４２を有し、アンテナ装置１６で受信した非接触ＩＣタグ３からの書籍ＩＤ情報を、送受信手段４１により管理センター１１の管理用サーバ１２へ送信可能とし、また管理用サーバ１２から書籍情報の収集を可能にしてある。
【００３０】
次に、管理センター１１に設置されている管理用サーバ１２には、送受信手段４３、計時手段４４、記憶手段４５、抽出手段４６、制御手段４７、書籍情報データベース４８、取扱組織情報データベース４９とが備えられている。
書籍情報データベース４８には、非接触ＩＣタグ３に記憶されている書籍ＩＤ情報と、書籍名等の書籍情報とが関係付けられて登録されている。
また、取扱組織情報データベース４９には、出版会社４、取次会社５、書店６などの各々の取扱組織を特定するための取扱組織ＩＤ情報と、取扱組織名等の取扱組織情報とが関係付けられて登録されている。
【００３１】
計時手段４４は、各端末から管理用サーバ１２へ送信された書籍ＩＤ情報を受信した時刻／又は日付けを計測する機能を有する。
また、抽出手段４６は、書籍情報データベース４８と、取扱組織情報データベース４９と、端末からインターネットを介して受信した書籍ＩＤ情報及び取扱組織ＩＤ情報に基づいて、前記書籍情報データベース４８から書籍情報を抽出すると共に、前記取扱組織情報データベース４９から取扱組織情報を抽出する機能を有している。
更に、制御手段４７は、記憶手段４５に抽出手段４６で抽出した書籍情報と取扱組織情報とを関係付けて記憶させる際に、計時手段４４で計測した時刻／又は日付けを付して記憶させる機能も有している。
【００３２】
次に、図６のフローチャートに基づいて、本発明の実施形態に係る非接触ＩＣタグを利用した書籍情報管理システムの処理手順について説明する。
まず、出版会社４から書籍１を出庫する際に、出庫担当者は、ＩＣタグリーダ１３をその書籍１に近づけることで、書籍１に備えられている非接触ＩＣタグ６の書籍ＩＤ情報を読み取る（ステップＳ１）。
そして、読取られた書籍ＩＤ情報は、アンテナ装置１６と端末１４を経由して、インターネット１０を介して管理センター１１の管理用サーバ１２へと送信されるが、この際、端末１４の記憶手段４０に記憶されている取扱組織ＩＤ情報も同時に送信される（ステップＳ２）。
【００３３】
次に、管理用サーバ１２では、抽出手段４６により、受信した書籍ＩＤ情報と関連付けられて書籍情報データベース４８に登録されている書籍名等の書籍情報を抽出する（ステップＳ３）。
更に、抽出手段４６により、受信した取扱組織ＩＤ情報と関連付けられて取扱組織情報データベース４９に登録されている取扱組織名等の取扱組織情報を抽出する（ステップＳ４）。
そして、制御手段４７は、抽出手段４６で抽出された書籍情報及び取扱組織情報を、計時手段４４で計測させている現時点の日付及び時刻を付して、記憶手段４５に記憶させる（ステップＳ５）。
【００３４】
以上の処理により、出版会社４から出庫した書籍１に関して、何時、どこの出版会社から、どの書籍が出庫されたのかについて、管理センター１１の管理用サーバ１２の記憶手段４５に登録されることになる。
また、処理の流れが上記と略同様なので、フローチャートの図は省略するが、出版会社４から出庫された書籍１は、その後、取次会社５においても、その書籍１を入庫する際に、入庫用のＩＣタグリーダ１４ａで書籍に設けられている非接触ＩＣタグから書籍ＩＤ情報を読み取り、また、取次会社５から書店６に出庫する際に、入庫用のＩＣタグリーダ１４ｂで非接触ＩＣタグから書籍ＩＤ情報を読み取る処理が行われることで、上記の処理と同様の処理が行われることになる。
【００３５】
これらの処理により、管理センター１１の管理用サーバ１２の記憶手段４５には、出版会社４から出庫された書籍１に関して、出版会社４から出庫された段階、取次会社５に入庫された段階、取次会社５から出庫された段階、の合計３つの段階について、何時、どこの取扱組織から、どの書籍が、入庫又は出庫されたのかなどの履歴情報が記憶されることになる。
【００３６】
更に、取次会社５から出庫された書籍１は、その後、書店６に納品されるが、書店６でその書籍１を仕入れる際に、仕入用のＩＣタグリーダ１５ａで書籍１に設けられている非接触ＩＣタグ３から書籍ＩＤ情報を読み取り、また、書店６から客に販売する際に、販売用のＩＣタグリーダ１５ｂで非接触ＩＣタグ３から書籍ＩＤ情報を読み取る処理が行われる。
【００３７】
これらの処理により、管理センター１１の管理用サーバ１２の記憶手段４５には、出版会社４から出庫された書籍１に関して、出版会社４から出庫された段階、取次会社５に入庫された段階、取次会社５から出庫された段階、書店６が仕入れた段階、書店から販売された段階、の合計５つの段階について、何時、どこの取扱組織から、どの書籍が、入庫、出庫、仕入れ、販売されたのかなどの履歴情報が記憶されることになる。
【００３８】
このようにして、書籍１が複数の取扱組織間を移動する際や、１つの取扱組織での入庫や出庫、仕入れや販売などの際に、ＩＣタグリーダで書籍１に備えられた非接触ＩＣタグに記憶された書籍ＩＤ情報を読み取り、取扱組織ＩＤ情報と同時に管理用サーバ１２に送信することで、書籍の履歴情報が順次に記憶手段４５に記憶される。
また、上記の例では、取扱組織として、出版会社４、取次会社５、書店６の３つの取扱組織間での事例について説明したが、これに限らず広い意味で、書籍を扱う取扱組織であれば、本発明のシステムを適応することができる。
【００３９】
また、これら管理用サーバ１２の記憶手段４５に記憶された書籍の履歴情報は、各端末から管理用サーバ１２にアクセスすることで、各取扱組織から情報を入手することができるようにすることで、蓄積された書籍情報の活用を行うことができる。
また、リーダライタから非接触ＩＣタグにアクセスする際に、ＰＫＩなどの認証を経てＩＣチップのメモリをリード／ライトするようにしてもよい。
また、非接触ＩＣタグは、書込み及び書き換えを可能にしておくようにしてもよい。
【００４０】
【発明の効果】
以上説明したように、本発明の非接触ＩＣタグを利用した書籍情報管理システムは、書籍に書籍Ｄ情報が記憶された非接触ＩＣタグが備えられているので、書籍毎に付されたＩＤ情報を効率的に読み取って収集できると共に、読み取った書籍ＩＤ情報と、更に取扱組織ＩＤ情報とをインターネットを介して管理用サーバに送信し、これらの書籍を取り扱う出版会社や取次会社及び書店等の複数の取扱組織間における書籍流通情報を、管理用サーバにより一元的に管理することができるので、個々の書籍が市場において、どのような流通過程にあるのか、どこに在庫されているのかなどの書籍情報を収集可能であり、必要な時に迅速に書籍の在処を調査したり、在庫情報を確認することができるという効果がある。
【００４１】
また、本発明の非接触ＩＣタグを利用した書籍情報管理システムは、管理用サーバに、情報を受信した時刻／又は日付けを計測する計時手段と、記憶手段に書籍情報と取扱組織情報とを関係付けて記憶させる際に、計時手段で計測した時刻／又は日付けを付して記憶させる制御手段とを備えたことにより、何時どこに、どの書籍が、入庫、出庫、仕入れ、販売、などされたのかの詳しい履歴情報を記憶手段に記憶させることができるという効果がある。
【図面の簡単な説明】
【図１】書籍の奥付け部分に非接触ＩＣタグを貼付した例を示す図である。
【図２】非接触ＩＣタグの例を示す平面図である。
【図３】非接触ＩＣタグを書籍の裏表紙に内蔵させた例を示す断面図である。
【図４】本発明の実施形態に係る非接触ＩＣタグを利用した書籍情報管理システムの概要を説明する図である。
【図５】本発明の実施形態に係る非接触ＩＣタグを利用した書籍情報管理システムのシステムブロック図である。
【図６】本発明の実施形態に係る非接触ＩＣタグを利用した書籍情報管理システムの処理手順を説明するフローチャートである。
【符号の説明】
１　書籍
１ａ　書籍の奥付け部分
３　非接触ＩＣタグ
４　出版社
５　取次会社
６　書店
７，８，９　端末
１０　インターネット
１１　管理センター
１２　管理用サーバ
１３，１４ａ，１４ｂ，１５ａ，１５ｂ　ＩＣタグリーダ
１６，１７，１８　アンテナ装置
２３，２８，３８　表示手段
２４，２９，３９　入力手段
２５，３０，４０，４５　記憶手段
２６，３６，４１，４３　送受信手段
２７，３７，４２，４７　制御手段
３１　基材
３２　ＩＣチップ
３３　コイルパターン
３３Ｃ　コイル接続端子
３４　導通部材
３５ａ，３５ｂ　紙片
４８　書籍情報データベース
４９　取扱組織情報データベース
【図１】
2004118600.tif 000003
【図２】
2004118600.tif 000004
【図３】
2004118600.tif 000005
【図４】
2004118600.tif 000006
【図５】
2004118600.tif 000007
【図６】
2004118600.tif 000008